(57)【特許請求の範囲】
【請求項１】
少なくとも一部が無色及び／又は有色の光透過性材料から成る基材において、前記光透過性材料から成る前記基材の一部に透過潜像領域が形成され、
前記基材上の透過潜像領域内には、前記光透過性材料の透過性を抑えるための隠蔽材料から成る隠蔽層と、前記隠蔽層の上に、有色の色材により形成された画像形成層が形成され、
前記隠蔽層は、前記基材の透過性を隠蔽する第１の隠蔽領域と第２の隠蔽領域から成り、
前記第２の隠蔽領域は、前記隠蔽材料が施された第２ａの隠蔽部及び前記隠蔽材料を有さないくり抜き部から成るか、又は前記隠蔽材料が施された第２ａの隠蔽部及び第２ｂの隠蔽部から成り、
前記第１の隠蔽領域、前記第２ａの隠蔽部及び前記第２ｂの隠蔽部の隠蔽面積率の関係は、第１の隠蔽領域≧第２ａの隠蔽部＞第２ｂの隠蔽部となり、
前記画像形成層は、少なくとも第１の領域と第２の領域とが隣接するように複数配置され、
前記第１の領域は、前記有色の色材により可視画像を形成する第１の網点部を有し、
前記第２の領域は、互いに異なる有色の色材により少なくとも二つの色分解領域に分割され、かつ、前記第２の隠蔽領域と同じ位置に積層されていることで、前記第２の領域が、前記くり抜き部又は前記第２ｂの隠蔽部と同じ位置に当たる潜像部と、前記第２ａの隠蔽部と同じ位置に当たる第１のカムフラージュ部に区分けされ、前記潜像部が複数配置されたことで第一の潜像画像が形成され、
前記第２の領域において、前記潜像部と前記第１のカムフラージュ部が反射光（拡散光）下で等色となるように形成したことにより、反射光（拡散光）下では前記可視画像が視認され、前記基材を透過光下で観察することで前記潜像部と前記第１のカムフラージュ部の色差ΔＥが所定の値変化し、前記潜像部により形成された前記第一の潜像画像が視認可能なことを特徴とする透過潜像画像を有する印刷媒体。
【請求項２】
前記潜像部が光の透過率３％以上１００％以下で形成されていることを特徴とする請求項１記載の透過潜像画像を有する印刷媒体。
【請求項３】
前記少なくとも二つの色分解領域は、各々の色分解領域に対して、シアン、マゼンタ、イエロー、ブラック又は特色の有色の色材により、異なる色に形成されていることを特徴とする請求項１又は２記載の透過潜像画像を有する印刷媒体。
【請求項４】
前記第２の領域が三つの色分解領域に分割され、各々の前記色分解領域がシアン、マゼンタ及びイエローの有色の色材で形成され、又は前記第２の領域が四つの前記色分解領域に分割され、各々の前記色分解領域がシアン、マゼンタ、イエロー及びブラックの有色の色材で形成されたことを特徴とする請求項３記載の透過潜像画像を有する印刷媒体。
【請求項５】
複数配置された前記くり抜き部又は第２ｂの隠蔽部の大きさを異ならせることで、前記潜像部の大きさも比例して異なり、前記第一の潜像画像が階調画像となることを特徴とする請求項１乃至４のいずれか１項記載の透過潜像画像を有する印刷媒体。
【請求項６】
前記異なる大きさのくり抜き部又は第２ｂの隠蔽部は、前記少なくとも二つの色分解領域に対応して形成されていることを特徴とする請求項５記載の透過潜像画像を有する印刷媒体。
【請求項７】
前記第１の領域内又は前記第２の領域内に、第３の網点部及び前記第３の網点部を囲むように形成された第２のカムフラージュ部から成る第３の領域が形成され、
前記第３の網点部は、赤外線吸収色素を含む有色の色材により形成されたことで第二の潜像画像を形成し、
前記第２のカムフラージュ部は、可視光源下において前記第３の網点部と等色で、かつ、赤外線吸収色素を含まない有色の色材により形成され、
少なくとも前記第１の領域が赤外線吸収色素を含まないことで、前記透過潜像領域を赤外線光源下において観察すると前記第二の潜像画像が更に視認可能なことを特徴とする請求項１乃至６のいずれか１項記載の透過潜像画像を有する印刷媒体。
【発明の詳細な説明】
【技術分野】
【０００１】
本発明は、銀行券、旅券、有価証券、商品タグ、各種証明書や、特に、ＩＤカード等のカード類を対象として、反射光下における画像、透過光下における画像及び赤外線光源下における画像の異なる三つの画像を形成することにより、偽造及び複製を困難とする印刷媒体に関するものである。
【背景技術】
【０００２】
近年、複写機の高機能化及び高画質化により、銀行券、旅券、有価証券等の貴重印刷媒体の偽造製品が出回り、深刻な問題となっている。そのため、従来から貴重印刷媒体には、複写機において再現が不可能となるように、様々な技術が開発されてきた。その中の一つとして、透明又は半透明の基材を用いて画像を形成することで、複写防止効果及び透過光下における透かし効果を奏する技術がある。
【０００３】
例えば、透明又は半透明の基材の片面に、第１の印刷層、隠蔽層及び第２の印刷層を積層し、第２の印刷層から第１の印刷層まで貫通する開口部を設け、点状又は網点状のパターンからなる表示部を形成した偽造防止印刷媒体が開示されている（例えば、特許文献１参照）。
【０００４】
この特許文献１に記載の偽造防止印刷媒体は、パターン以外の開口部が基材を露出させた透明な透かしとしているため、複写機を用いて複製品を作製しても完全な再現は困難であり、特に、特殊な真偽判定装置が不要で、透過光下において目視により容易に真偽判別が可能であることから、真正品と複製品との高い識別性を有する。また、印刷層には、磁性材料を添加混合させたインキを用いたり、メタメリックな２種類以上の色料を含むインキを用いたり、各種の機能性インキを併用して用いることも可能であり、より一層の偽造防止効果を図ることが可能である。
【０００５】
また、他の複写及び偽造防止に関する技術として、色、光沢又は発光等の複写機では再現が困難な機能性インキを用いるもの等がある。機能性インキには、磁性インキ、蛍光インキ、赤外線領域において吸収特性を示す赤外線吸収インキ等がある。これらの機能性インキを用いた貴重印刷媒体は、複写機での複製に対して効果を奏するものではあるが、単純な文字及び図柄では、材料さえ入手することができれば、比較的簡単に偽造することができてしまうという問題がある。
【０００６】
そこで、本出願人は、機能性インキを使用するだけではなく、高精細な網点構成とすることで、可視画像と、特定の観察条件のみで視認可能な潜像画像を視認させることができる偽造防止印刷媒体を提案している（例えば、特許文献２参照）。
【０００７】
特許文献２に記載の偽造防止印刷媒体は、二つの領域が複数配置されることで階調画像を構成している印刷媒体であって、第２の領域の周囲が第１の領域によって囲まれ、第２の領域は、赤外線吸収色素を含むブラックインキにより構成された第２ａの領域と、赤外線吸収色素を含まないインキにより黒色系に構成された第２ｂの領域から成り、第１の領域及び第２ｂの領域は、一般の商業印刷で使用されているシアン（Ｃ）、マゼンタ（Ｍ）、イエロー（Ｙ）の３原色インキを用いている。
【０００８】
したがって、特殊な網点構成による複製防止効果を奏するだけではなく、赤外線吸収色素を含むブラックインキにより構成された第２ａの領域において、潜像画像を形成していることから、赤外線カメラ等の鑑定装置で観察すると、可視光源下で観察された階調画像とは異なる画像が完全にスイッチして（切り替わって）視認可能となる偽造防止効果を有している。
【０００９】
さらに、透明領域に３層以上の平面画像が形成され、その透明領域は、片面又は両面に平面画像が設けられている透明な基材シートが積層されており、平面画像の少なくとも一層は、赤外線吸収材料と赤外線透過材料で形成されている偽造防止担体が開示されている（例えば、特許文献３参照）。
【００１０】
この特許文献３に記載の偽造防止担体は、各層が透明な基材シートであることから、積層されている各層に形成された平面画像が、合成された状態で視認することが可能となり、さらに、赤外線画像を読み取れるような判別装置を用いれば、赤外線吸収材料と赤外線透過材料を用いて形成した平面画像のみを視認することが可能となる。
【００１１】
特許文献２及び３により開示されている技術については、赤外線カメラ等の判別機器を用いる必要があり、高い偽造防止効果を奏するものであるが、赤外線カメラ等の判別機器は比較的高価であり、何人でも購入できるものではなかったため、前述した技術には、更に各種窓口業務等で簡単に判別可能な技術の付与が望まれていた。
【００１２】
そこで、本出願人は、可視光源下による画像と赤外線光源下による画像のスイッチ効果に加え、可視光源下において印刷物の観察角度を変えて観察すると、別の画像がスイッチして視認される印刷物を開示している（例えば、特許文献４参照）。
【００１３】
この特許文献４の印刷物は、基材に光輝性材料を用い、その基材上に、光輝性を抑えるための隠蔽層を設け、更にその隠蔽層の上に可視画像及び赤外線光源下でのみ視認可能な潜像画像を形成するための印刷層を形成し、その印刷層と隠蔽層の同じ箇所をくり抜く又は隠蔽率の低い領域を設けることで、基材の光輝性を発揮させ、観察角度を異ならせることにより、別の潜像画像を視認させる技術である。
【先行技術文献】
【特許文献】
【００１４】
【特許文献１】特開平１０−７６７４５号公報
【特許文献２】特許第３５４４５３６号公報
【特許文献３】特開２００６−６８９８７号公報
【特許文献４】特開２０１０−２４７５１５号公報
【発明の開示】
【発明が解決しようとする課題】
【００１５】
しかしながら、特許文献１に記載の印刷媒体は、第２の印刷層から第１の印刷層まで貫通した開口部を有することにより、透明な透かしが形成されるため、透過光下において透明な透かしを視認することで簡単に真偽判別が可能であるが、開口部による透明な透かしは、単純なパターンであり、層構成が分ってしまうと、比較的容易に偽造及び模造することができてしまうという問題があった。
【００１６】
また、開口部による透明透かしは、単純なパターンであり、連続階調を有するような意匠性を奏する模様を形成するものではないため、意匠性に富んだ模様の形成が望まれている。併せて、透過潜像画像についても、透過光の色に依存した単色によるものであり、色彩感が乏しいものであった。
【００１７】
さらに、透過光下において透明な透かしを視認する際に、第２の印刷層に形成した絵柄や可視情報も一緒に視認されてしまい、それぞれ単独の画像として視認することができず、いわゆる、画像のスイッチ的な効果（切り替わり効果）を奏するものではなかったため、より一層の高度な偽造防止技術が求められていた。
【００１８】
また、特許文献２に記載の網点印刷媒体は、特殊な網点構成により可視光源下で認識可能な可視画像と、赤外線カメラ等の判別装置を用いて視認可能な潜像画像という二つの画像を安価に作製することが達成された。しかし、潜像画像は、赤外線カメラ等の判別装置を用いなければ視認されないため、例えば、銀行及び入国管理審査等の各種窓口業務における検査担当者は、簡単な目視検査による真偽判別を行うことができない問題点があった。そこで、特殊な判別装置を用いる鑑定的な真偽判別に加え、特殊な判別装置を用いずに目視によって真偽判別することが可能な技術も付与された偽造防止印刷媒体が求められている。
【００１９】
また、特許文献３に記載の偽造防止担体は、透明な基材シートを積層し、その各層に平面画像を形成していることから、各層に形成されているそれぞれの平面画像が合成した状態で視認可能であり、その視認角度を傾けていくことで、各層の平面画像の視認状態が変化することもできるため、目視により判別することが可能であるとともに、平面画像が形成されている少なくとも１層が、赤外線吸収材料と赤外線透過材料を用いて形成されている。そのため、赤外線画像を読み取れる判別装置を用いることにより、鑑定的な真偽判別も行え、目視による判別及び判別装置を用いた鑑定的な判別の両方を備えているものではあるが、透明な基材シートに形成されている平面画像は、単純なパターン状のものであるため、層構成が分かってしまうと、比較的容易に偽造されてしまう可能性がある。
【００２０】
また、赤外線光源下において視認される赤外線画像については、一つの層の平面画像を赤外線吸収材料と赤外線透過材料を用いて形成すればよく、単に、画像を形成するための材料を、機能性を有する材料としたものであり、材料さえ入手することができてしまえば、同一の画像が形成されてしまうという問題を抱えているため、仮に特殊な機能性を有する材料を入手できたとしても、容易に同一の画像等を形成できない構成を有するようなセキュリティ性の更に高い印刷媒体が求められていた。
【００２１】
また、特許文献１における潜像画像が階調の少ないデザインに限られる問題点を解消した特許文献２及び特許文献３により開示されている印刷物は、目視等の簡易検査により真偽判別することができないという問題点があった。さらに、これらの問題点を解消した特許文献４に開示されている印刷物は、基材の色若しくは潜像画像を形成するための印刷層の色（単色）によるものであり、多彩な色の潜像画像を視認することができるような改良が求められていた。
【００２２】
本発明は、このような従来の問題を解決することを目的としたもので、緻密な網点構成を用いることで、複製を困難にさせ、特殊な基材である透過性基材においても付与可能であり、透過光下において色彩感のある明瞭な第一の潜像画像を視認することが可能であるとともに、赤外線光源下のような特殊な観察条件において、可視画像及び第一の潜像画像とは異なる第二の潜像画像を視認することが可能な印刷媒体を提案することを目的とする。
【課題を解決するための手段】
【００２３】
本発明は、少なくとも一部が無色及び／又は有色の光透過性材料から成る基材において、光透過性材料から成る基材の一部に透過潜像領域が形成され、基材上の透過潜像領域内には、光透過性材料の透過性を抑えるための隠蔽材料から成る隠蔽層と、隠蔽層の上に、有色の色材により形成された画像形成層が形成され、隠蔽層は、基材の透過性を隠蔽する第１の隠蔽領域と、第２の隠蔽領域から成り、第２の隠蔽領域は、隠蔽材料が施された第２ａの隠蔽部及び隠蔽材料を有さないくり抜き部から成り、又は隠蔽材料が施された第２ａの隠蔽部及び第２ｂの隠蔽部から成り、第１の隠蔽領域、第２ａの隠蔽部及び第２ｂの隠蔽部の隠蔽面積率の関係は、第１の隠蔽領域≧第２ａの隠蔽部＞第２ｂの隠蔽部となり、画像形成層は、少なくとも第１の領域と第２の領域とが隣接するように複数配置され、第１の領域は、有色の色材により可視画像を形成する第１の網点部を有し、第２の領域は、互いに異なる有色の色材により少なくとも二つの色分解領域に分割され、かつ、第２の隠蔽領域と同じ位置に積層されていることで、第２の領域が、くり抜き部又は前記第２ｂの隠蔽部と同じ位置に当たる潜像部と、第２ａの隠蔽部と同じ位置に当たる第１のカムフラージュ部に区分けされ、潜像部が複数配置されたことで第一の潜像画像が形成され、第２の領域において、潜像部と第１のカムフラージュ部が反射光（拡散光）下で等色となるように形成したことにより、反射光（拡散光）下では可視画像が視認され、透過光下では潜像部と第１のカムフラージュ部の色差 ΔＥが所定の値変化し、潜像部により形成された第一の潜像画像が視認可能なことを特徴とする透過潜像画像を有する印刷媒体である。
【００２４】
また、本発明の透過潜像画像を有する印刷媒体は、潜像部が光の透過率（以下、「透過率」という。）３％以上１００％以下で形成されていることを特徴とする。
【００２５】
また、本発明の透過潜像画像を有する印刷媒体は、少なくとも二つの色分解領域が、各々の色分解領域に対して、シアン、マゼンタ、イエロー、ブラック又は特色の有色の色材により、異なる色に形成されていることを特徴とする。
【００２６】
また、本発明の透過潜像画像を有する印刷媒体は、第２の領域が三つの色分解領域に分割され、各々の色分解領域がシアン、マゼンタ及びイエローの有色の色材で形成され、又は第２の領域が四つの色分解領域に分割され、各々の色分解領域がシアン、マゼンタ、イエロー及びブラックの有色の色材で形成されたことを特徴とする。
【００２７】
また、本発明の透過潜像画像を有する印刷媒体は、複数配置されたくり抜き部又は第２ｂの隠蔽部の大きさを異ならせることで、潜像部の大きさも比例して異なり、第一の潜像画像が階調画像となることを特徴とする。
【００２８】
また、本発明の透過潜像画像を有する印刷媒体は、異なる大きさのくり抜き部又は第２ｂの隠蔽部が、少なくとも二つの色分解領域に対応して形成されていることを特徴とする。
【００２９】
さらに、本発明の透過潜像画像を有する印刷媒体は、第１の領域内又は第２の領域内に、第３の網点部及び第３の網点部を囲むように形成された第２のカムフラージュ部から成る第３の領域が形成され、第３の網点部は、赤外線吸収色素を含む有色の色材により形成されたことで第二の潜像画像を形成し、第２のカムフラージュ部は、可視光源下において第３の網点部と等色で、かつ、赤外線吸収色素を含まない有色の色材により形成され、少なくとも第１の領域が赤外線吸収色素を含まないことで、透過潜像領域を赤外線光源下において観察すると第二の潜像画像が更に視認可能なことを特徴とする。
【発明の効果】
【００３０】
本発明の透過潜像画像を有する印刷媒体は、可視光源下の拡散光領域で観察した際には階調のある可視画像が視認され、印刷媒体を透過光下で観察することでフルカラー又は多色の潜像画像が視認可能となり、簡易な手法による真偽判別が行える。また、赤外線吸収材料を用いた領域を更に設けることで、併せて、特殊な鑑定装置による真偽判別も行うことができる。
【００３１】
また、本発明の透過潜像画像を有する印刷媒体は、印刷媒体を透過光下で観察したときに視認可能なフルカラーの第一の潜像画像を形成するための微細な領域が、イエロー（以下「Ｙ」という。）、シアン（以下「Ｃ」という。）、マゼンタ（以下「Ｍ」という。）及びブラック（以下「Ｂｋ」という。）を形成したいフルカラーの画像に合わせた領域として形成されているため、その微細な構成には、高度な設計技術を要するため、偽造防止抵抗力が更に向上したものとなった。
【図面の簡単な説明】
【００３２】
【図１】本発明における透過潜像画像を有する印刷媒体の一例を示す図である。
【図２】本発明における可視画像と第一の潜像画像の一例を示す図である。
【図３】透過潜像領域の層構成を説明するための図である。
【図４】第１の実施形態における隠蔽層を説明するための図である。
【図５】第１の実施形態における画像形成層を説明するための図である。
【図６】第２の領域及び第２の隠蔽領域の配置を説明するための図である。
【図７】第１の実施形態における三つの層の層構成を説明するための図である。
【図８】第１の実施形態における一つ目の態様の隠蔽層及び画像形成層の構成を説明するための図である。
【図９】第１の実施形態における二つ目の態様の隠蔽層及び画像形成層の構成を説明するための図である。
【図１０】本発明の印刷媒体を観察するときの観察状態を説明するための図である。
【図１１】本発明に関わる反射光下と透過光下における潜像部及びカムフラージュ部の色差 ΔＥを説明するための図である。
【図１２】可視画像が視認されるときの原理を説明するための図である。
【図１３】第一の潜像画像が視認されるときの原理を説明するための図である。
【図１４】第２の実施形態における隠蔽層を説明するための図である。
【図１５】第３の実施形態における可視画像、第一の潜像画像及び第二の潜像画像を示す図である。
【図１６】第３の実施形態において、画像形成層における三つの領域が形成する各画像を説明するための図である。
【図１７】第３の実施形態における三つの層の層構成を説明するための図である。
【図１８】白インキ及びマゼンタインキの分光透過率の一例を示すグラフである。
【図１９】第３の実施形態における分光反射率を説明するための図である。
【図２０】赤外線吸収色素を含む基材を用いた印刷媒体を、赤外線光源下において、観察した場合の図である。
【図２１】赤外線吸収色素を含まない基材を用いた印刷媒体を、赤外線光源下において観察した場合の図である。
【図２２】第１の領域及び第２の領域の形状の変形例を説明するための図である。
【図２３】実施例２の証明書を説明する図である。
【図２４】実施例２における可視画像、第一の潜像画像及び第二の潜像画像を示す図である。
【図２５】実施例２における三つの層の層構成を説明するための図である。
【発明を実施するための形態】
【００３３】
本発明を実施するための形態について、図面を用いて説明する。しかしながら、本発明は、以下に述べる実施するための形態に限定されるものではなく、特許請求の範囲記載における技術的思想の範囲内であれば、その他いろいろな実施の形態が含まれる。
【００３４】
図１は、本発明における透過潜像画像を有する印刷媒体（１）（以下「印刷媒体」という。）の一例を示す図である。この印刷媒体（１）は、図１（ａ）に示すように、少なくとも一部に本発明における透過潜像画像が形成されている透過潜像領域（２）を有している。
【００３５】
この印刷媒体（１）は、可視光源下における反射光（拡散光）下では、図２（ａ）に示すような可視画像（３）が視認され、可視光源下における透過光下では、図２（ｂ）に示すような第一の潜像画像（４）を視認することができるという効果を奏するものである。この二つの画像の視認原理については後述する。
【００３６】
透過潜像領域（２）は、印刷媒体（１）の断面図である図１（ｂ）に示すように、三つの層から構成されている。透過潜像領域（２）については、図１に示すように、印刷媒体（１）の一部に形成してもよいが、印刷媒体（１）の全面を透過潜像領域（２）として形成してもよい。また、透過潜像領域（２）を構成している三つの層については、基材（６）、隠蔽層（７）及び画像形成層（８）から形成されている。この三つの層について次に説明する。
【００３７】
（第１の実施形態）
まず、基材（６）について説明する。基材（６）は、少なくとも一部が無色及び／又は有色の光透過性材料（５）を用いて形成されている。また、光透過性材料の透過率は、３％以上１００％以下の範囲であることが好ましい。無色（透明）の透過性基材としては、ＰＥＴや塩ビ等の材質で形成された透明フィルムがある。また、有色の透過性基材としては、前述の無色（透明）のＰＥＴフィルム等に染料や顔料等の着色成分を含有させたものがあり、また、透過性のある有色インキや有色フィルムを重ねて形成したものでもよい。
【００３８】
また、基材（６）に透過性のある金属光沢調フィルム（東レ株式会社製、ＰＩＣＡＳＵＳ等）を用いてもよい。金属光沢調フィルムとは、異種ポリマーを多層積層し形成した、ポリエステルフィルムであり、金属を使用せずに金属調の光沢を得ることが可能な光透過性材料のことである。
【００３９】
図１（ｂ）では、印刷媒体（１）の全面である、すなわち、基材自体を光透過性材料（５）で形成する例で説明したが、本発明の基材（６）は、これに限定されるものではなく、基材（６）の一部が光透過性材料（５）で形成されていてもよい。
【００４０】
例えば、図３に示すように、透過潜像領域（２）に相当する部分にのみ光透過性材料（５）が形成されていてもよい。
【００４１】
次に隠蔽層（７）について説明する。隠蔽層（７）は、下層に当たる基材（６）の透過性を抑える役割を担っている。また、隠蔽層（７）は、後述する上層の画像形成層（８）により形成される可視画像（３）に影響を与えない色彩を有する必要がある。したがって、隠蔽層（７）は、白インキ、マットインキ（マットタイプのＯＰニス）等を用いることが可能だが、下層の透過性を抑えられる隠蔽材料で、かつ、上層の可視画像（３）に影響を与えない材料であれば特に限定されない。本実施の形態では、白インキを用いて形成することで説明する。なお、白インキには、オフセット印刷用ＵＶインキとしてＤＩＣ株式会社製  ダイキュアＲＴＸ  白、インクジェット印刷用ＵＶインクとして東洋インキ製造株式会社製  ＬＩＯＪＥＴ  ＦＶ０３  ホワイト等がある。なお、本発明において、インクジェット印刷方式のインキは「インク」と定義し、その他の印刷方式のインキは「インキ」と定義する。
【００４２】
この隠蔽層（７）は、図４に示すように、一部に隠蔽材料が施されていないくり抜き部（９）を有している。図４（ａ）に示した隠蔽層（７）の構成については、後述する画像形成層（８）の網点構成に対応した構成となっている。この網点構成は、本発明に用いる微細な網点構成となるものであるが、詳細は画像形成層（８）の説明の際に行うこととする。
【００４３】
図４（ａ）は、隠蔽層（７）の一部を拡大した模式図であるが、隠蔽層（７）は、後述する画像形成層（８）に対応するように、二つの領域から形成されている。この二つの領域は、前述のとおり、下層である基材（６）の透過性を隠蔽する役割を持っていることから、第１の隠蔽領域（１０）と、第２の隠蔽領域（１１）で構成されている。また、第２の隠蔽領域（１１）は、隠蔽材料が施されている第２ａの隠蔽部（１２）と隠蔽材料が施されていないくり抜き部（９）によって構成されている。
【００４４】
ここで、隠蔽面積率とは、隠蔽層（７）における第１の隠蔽領域（１０）又は第２ａの隠蔽部（１２）の単位面積当たりの隠蔽材料を形成する面積の割合のことである。例えば、第２ａの隠蔽部（１２）において、隠蔽面積率８０％とは、第２ａの隠蔽部（１２）の面積の内、隠蔽材料を形成した面積の割合が８０％のことである。この場合、第２ａの隠蔽部（１２）の面積の２０％は、隠蔽材料が形成されていないため、下層である基材（６）が露出した状態となる。
【００４５】
よって、第２ａの隠蔽部（１２）を第１の隠蔽領域（１０）よりも隠蔽面積率を低くするというのは、隠蔽面積率を下げることにより下層である基材（６）の露出面積率を上げ、第１の隠蔽領域（１０）よりも第２ａの隠蔽部（１２）の透過性の低下を抑えることになる。つまり、印刷媒体（１）を反射光（拡散光）下から透過光下へ変化させた際に、第１の隠蔽領域（１０）に対応する画像形成層（８）の第１の領域（１３）の透過光よりも、第２ａの隠蔽部（１２）に対応する画像形成層（８）の第１のカムフラージュ部（１６）の透過光の単位面積当たりの光の強さが高くなり、結果的に透過光下における第一の潜像画像（４）の視認性が向上することがあるからである。
【００４６】
しかし、隠蔽面積率を低くしたことにより、くり抜き部（９）である、すなわち、基材（６）の透過光と第２の隠蔽領域（１１）の透過光の強さが近似し、透過光下における第一の潜像画像（４）の視認性が低下するおそれもある。よって、第２の隠蔽領域（１１）の隠蔽面積率は適宜設定する必要がある。
【００４７】
また、前述したように、第２の隠蔽領域（１１）は、くり抜き部（９）を有しており、この図４（ａ）のＸ１−Ｘ２における（拡大）断面図である図４（ｂ）に示すように、くり抜き部（９）には、白インキが施されていない。次に、このくり抜き部（９）について図４（ｃ）及び図４（ｄ）を用いて説明する。
【００４８】
第２の隠蔽領域（１１）は、図４（ｃ）に示すように、くり抜き部（９）及び第２ａの隠蔽部（１２）により構成されている。なお、図４（ｃ）では、第２の隠蔽領域（１１）を示すために、くり抜き部（９）の縁部を点線にて表現しているが、実際にはこの線は存在しない。
【００４９】
くり抜き部（９）は、図４（ｄ）に示すように、後述する上層の画像形成層（８）の第２の領域（１４）に対応して、少なくとも二つのくり抜き部（９）から成る。くり抜き部（９）が二つの場合には、くり抜き部（９ａ）及びくり抜き部（９ｂ）と定義し、くり抜き部（９）が三つの場合には、更にくり抜き部（９ｃ）が加えられて成る。画像形成層（８）の第２の領域（１４）の詳細については、画像形成層（８）を説明するところで詳細に説明することとするが、第２の領域（１４）は、第一の潜像画像（４）の原画像を色分解した色成分のうち、少なくとも二つの色成分の色材により分割されているため、それぞれの色成分の分割領域に対して、三つのくり抜き部（９ａ、９ｂ及び９ｃ）が対応しているものである。なお、図４（ｄ）では、画像形成層（８）の第２の領域（１４）が三つの色成分の色材から構成されている場合であり、その第２の領域（１４）の三つの色成分に分割されている領域に対応していることを示すために、説明上、図中に点線を用いて表しているが、実際には第２の隠蔽領域（１１）は、二つ又は三つに分割されているわけではない。
【００５０】
図４（ｃ）におけるくり抜き部（９）の大きさである、いわゆる、図４（ｄ）における三つのくり抜き部（９ａ、９ｂ及び９ｃ）の大きさについては、後述する画像形成層（８）における第２の領域（１４）を用いて形成する第一の潜像画像（４）の階調に合わせて適宜設定するものである。これは、通常の網点を用いて階調画像を形成するときに、網点の大小により階調を表現するものと同じ考え方である。
【００５１】
第２の隠蔽領域（１１）にくり抜き部（９）が形成されていることで、印刷媒体（１）を透過光下で観察すると、透過性の基材（６）からの透過光がくり抜き部（９）を経て最上層の画像形成層（８）の第２の領域（１４）で形成している第一の潜像画像（４）を視認することができることとなる。この観察原理の詳細については後述する。
【００５２】
次に、画像形成層（８）について説明する。画像形成層（８）は、可視光源下の反射光（拡散光）下において視認可能な連続階調画像を含む可視画像（３）を網点により形成する。そこで、画像形成層（８）の網点構成について図５を用いて説明する。
【００５３】
画像形成層（８）は、図５（ａ）に示す可視画像（３）を形成しており、その網点構成は、図５（ｂ）に一部拡大図として示した構成である。この網点構成は、第１の領域（１３）及び第２の領域（１４）により形成され、第１の領域（１３）と第２の領域（１４）がマトリックス状に複数配置されている。この二つの領域をマトリックス状に配置することで、可視画像（３）及び第一の潜像画像（４）は、モアレを発生することがなくなる。
【００５４】
図５（ｂ）に示すように、第１の領域（１３）に囲まれるように第２の領域（１４）が配置され、第２の領域（１４）は、第１の領域（１３）よりも小さい面積で第１の領域（１３）の外周に沿って、等間隔に配置されている。第２の領域（１４）を第１の領域（１３）よりも大きい面積で形成した場合には、第２の領域（１４）がノイズとなって、可視光源下における可視画像（３）の視認性を低下させてしまうこととなる。この網点構成の詳細については、本出願人が既に出願している特許第３５４４５３６号公報に開示されている。
【００５５】
第１の領域（１３）内には、第１の網点部（１３ａ）が配置され、可視画像（３）は、第１の領域（１３）内における第１の網点部（１３ａ）と第１の網点部（１３ａ）以外の領域との面積比率に応じて、複数配置された第１の領域（１３）により階調を付与することが可能となる。
【００５６】
また、第２の領域（１４）は、透過光下において印刷媒体（１）を観察すると視認可能な第一の潜像画像（４）を形成するための領域であり、第一の潜像画像（４）を視認可能とするために第２の領域（１４）の透過率は、３％以上１００％以下の範囲とする必要がある。また、第２の領域（１４）は、形成しようとする第一の潜像画像（４）の原画像を、ＹＭＣＫ又は特色の有色の色材により形成した少なくとも二つの色分解領域から成る。例えば、色分解領域が二つの場合は、第２ａの領域（１４ａ）及び第２ｂの領域（１４ｂ）と定義し、色分解領域が三つの場合には、更に第２ｃの領域（１４ｃ）が加えられて成る。以降は、色分割領域の数に対応している。なお、分解されている第２の領域（１４）のどこにＹＭＣＫ又は特色の有色の色材で形成するかについては、適宜設定すればよく、特に限定されるものではない。
【００５７】
第２の領域（１４）が少なくとも二つの色分解領域に分割される場合、それぞれの色分解領域は、異なる色により形成されることで分割されるものである。その際、各々の色分解領域は、ＹＭＣＫの単色により形成されていてもよいが、複数の色材を混合することで作製された特色の色材により形成されていてもよい。この特色の色材については、複数の色材を混合していた場合であっても、一つの色分解領域を形成する場合には、１色の特色の色材により形成されたものとする。さらに、ＹＭＣＫのプロセス基本成分による単色の色材を用いる場合、一つの色分解領域を単色の色材のみで形成してもよいが、２色以上の色材を重ねて印刷してもよい。いずれにしても、本発明において色分解領域を形成する色材は、前述のとおり、ＹＭＣＫのプロセス基本成分による色材及び特色の色材を用いて、色分解領域が異なる色に形成されることで分割されていればよい。
【００５８】
第２の領域（１４）には二つの態様があり、まず、一つ目の態様について説明する。なお、以下、第２の領域（１４）がＹＭＣの三つの色分解領域から構成されていることにより、第２ａの領域（１４ａ）、第２ｂの領域（１４ｂ）及び第２ｃの領域（１４ｃ）から成ることで説明する。
【００５９】
第２の領域（１４）は、前述した下層の第２の隠蔽領域（１１）上の同じ領域に形成されており、第２の隠蔽領域（１１）は、隠蔽材料が施されていないくり抜き部（９）と隠蔽材料が施されている第２ａの隠蔽部（１２）により構成されているため、透過性の材料（５）（基材（６）自体が光透過性材料（５）から形成されている場合には、透過性の基材（６））からの透過光を直接受ける箇所と隠蔽材料により透過光が抑えられている箇所に区分けされる。この区分けされた透過性の基材（６）の透過光の差により形成される第一の潜像画像（４）は、くり抜き部（９）と第２ａの隠蔽部（１２）との面積比率に応じて、複数配置された第２の領域（１４）により階調を付与することが可能となる。
【００６０】
第２の領域（１４）を構成するＹＭＣの三つの色分解領域を説明したところであるが、この配置については、図６（ａ）に示した方向に分割されていてもよいし、図６（ｂ）に示すように、図６（ａ）に対して９０度回転させた方向に分割されていてもよい。さらに、複数配置されている第２の領域（１４）において、それぞれ異なる方向に分割されていてもよく、特に限定されない。
【００６１】
なお、前述のとおり、第２の領域（１４）の下層に形成される第２の隠蔽領域（１１）については、くり抜き部（９）（特に、くり抜き部（９ａ）、くり抜き部（９ｂ）及びくり抜き部（９ｃ））が第２の領域（１４）を分割しているＹＭＣに対応していることから、図６（ａ）のように第２の領域（１４）を配置した場合には、図６（ｃ）のような第２の隠蔽領域（１１）におけるくり抜き部の配置となり、また、図６（ｂ）のように第２の領域（１４）を配置した場合には、図６（ｄ）のような第２の隠蔽領域（１１）におけるくり抜き部の配置となる。
【００６２】
ここで、第２の領域（１４）によって第一の潜像画像（４）が形成される原理について、図７を用いて更に詳しく説明する。
【００６３】
図７（ａ）は、図５で示した複数配置された第１の領域（１３）及び第２の領域（１４）の中の一組を取り出した際における基材（６）、隠蔽層（７）及び画像形成層（８）の積層状態を示す斜視図であり、図７（ｂ）は、図７（ａ）のＹ１−Ｙ２の断面図である。
【００６４】
図７（ａ）及び図７（ｂ）に示すように、隠蔽層（７）の第１の隠蔽領域（１０）と画像形成層（８）の第１の領域（１３）が同じ位置に配置され、同様に、第２の隠蔽領域（１１）と第２の領域（１４）は、同じ位置に積層されている。さらに、画像形成層（８）の第２の領域（１４）を構成している三つの色分解領域である第２ａの領域（１４ａ）、第２ｂの領域（１４ｂ）及び第２ｃの領域（１４ｃ）に対応するように、第２の隠蔽領域（１１）の三つのくり抜き部（９ａ、９ｂ及び９ｃ）が同じ位置となっている。したがって、図７（ｂ）に示すように、くり抜き部（９）上に積層されている第２の領域（１４）は、（図中では、くり抜き部（９ｂ）に対して第２ｂの領域（１４ｂ））、隠蔽材料がないために、実質的には、基材（６）の上に積層されている状態となっている。
【００６５】
図７において、三つの層の層構成を説明したところであるが、前述のとおり、隠蔽層（７）のくり抜き部（９）には、隠蔽材料が施されていないため、基材（６）の上に実質的に画像形成層（８）の第２の領域（１４）が形成されていることとなる。ここで、基材（６）は、透過性の材料により形成されているため、光源からの照射光を透過することとなる。そこで、透過光を抑える役目の隠蔽材料を施していないくり抜き部（９）の上の第２の領域（１４）に該当する箇所は、印刷媒体（１）を透過光下で観察すると、その基材（６）の透過光の影響を受ける領域と、隠蔽材料が施されていることにより、基材（６）の透過光の影響を受けない領域に分かれる。その状態を図示したのが図８である。
【００６６】
図８（ａ）は、図７において説明した三つの層の構成の中から、隠蔽層（７）の第２の隠蔽領域（１１）と画像形成層（８）の第２の領域（１４）の積層状態を分解した斜視図である。この状態において、それぞれの領域を真上から見た場合を示したのが、図８（ｂ）及び図８（ｃ）である。なお、図８（ｂ）における第２の領域（１４）は、印刷媒体（１）を拡散光領域で観察した場合の状態であり、第２の領域（１４）が三つの色分解領域により構成されている。なお、実際は、肉眼では識別できない大きさのため、この図のように分割されている各色成分は視認することができない。
【００６７】
ただし、第２の領域（１４）は、透過光下において下層である隠蔽層（７）のくり抜き部（９）を介して最下層の基材（６）の透過性を視認することができる程度の透過率とする必要がある。
【００６８】
印刷媒体（１）は、光透過性材料（５）から成る基材（６）であるため、隠蔽層（７）のくり抜き部（９）の上層にある第２の領域（１４）の部分は、前述のとおり、基材（６）の透過性の影響を実質的に直接受けるため、他の第２ａの隠蔽部（１２）の上層にある第２の領域（１４）とは色彩が異なって視認される。その状態を示したのが図８（ｄ）である。
【００６９】
図８（ｄ）に示すように、第２の領域（１４）内において、下層のくり抜き部（９）と同じ部分に当たる領域は、透過光を受けて色変化する。この第２の領域（１４）内において透過光下で色変化する部分を潜像部（１５）と定義する。なお、本発明の特徴点である第一の潜像画像（４）を形成するための要素が潜像部（１５）である。また、第２の領域（１４）の中で、潜像部（１５）以外の領域を第１のカムフラージュ部（１６）と定義する。
【００７０】
前述のとおり潜像部（１５）は、基材（６）上に最上層である画像形成層（８）の第２の領域（１４）が形成されていることとなるが、基材（６）は、光透過性材料（５）によって形成されているため、本発明における第一の潜像画像（４）を視認させるには、透過光下においてのみ基材（６）の透過性を利用した潜像部（１５）を視認させることが必要となる。したがって、反射光（拡散光）下においては、第２の領域（１４）内の第１のカムフラージュ部（１６）と潜像部（１５）は等色とする必要がある。
【００７１】
反射光（拡散光）下において、第２の領域（１４）内の潜像部（１５）と第１のカムフラージュ部（１６）が等色となることで第一の潜像画像（４）は視認されず、印刷媒体（１）を透かして透過光下で観察することで、潜像部（１５）における基材（６）は、第１のカムフラージュ部（１６）との色差 ΔＥが所定の値変化し、潜像部（１５）により形成された第一の潜像画像（４）を視認することができる。
【００７２】
次に、第１の実施形態の画像形成層（８）の二つ目の態様について図９を用いて説明する。図８を用いて説明した第２の領域（１４）は、一つずつの色分解領域において、潜像部（１５）を形成する色材とカムフラージュ部（１６）を形成する色材が同じ色材で形成された構成により説明したが、この二つ目の態様は、一つずつの色分解領域において、潜像部（１５）とカムフラージュ部（１６）とを異なる色材の２色を用いて形成するものである。以下、その構成について詳細に説明する。
【００７３】
図９（ａ）は、図７において説明した三つの層の構成の中から、隠蔽層（７）の第２の隠蔽領域（１１）と画像形成層（８）の第２の領域（１４）の積層状態を分解した斜視図である。この状態において、それぞれの領域を真上から見た場合を示したのが図９（ｂ）及び図９（ｃ）である。なお、図９（ｂ）における第２の領域（１４）は、印刷媒体（１）を拡散光領域で観察した場合の状態であり、第２の領域（１４）が三つの色分解領域により構成されている。なお、実際は、肉眼では識別することができない大きさのため、この図のように分割されている各色成分は視認されない。
【００７４】
第１の領域（１３）については、一つ目の態様と同様であるが、第２の領域（１４）においては、下層の隠蔽層（７）に形成するくり抜き部（９）と同じ位置に該当する箇所である、いわゆる、潜像部（１５）と、他の第２の領域（１４）、いわゆる、第１のカムフラージュ部（１６）を形成する。また、第２の領域（１４）の下層に形成される第２の隠蔽領域（１１）のくり抜き部（９）（特に、くり抜き部（９ａ）、くり抜き部（９ｂ）及びくり抜き部（９ｃ））と上層部に形成される潜像部（１５）（特に、潜像部（１５ａ）、潜像部（１５ｂ）及び潜像部（１５ｃ））は、それぞれ同じ位置であり、第２ａの隠蔽部（１２）（特に、１２ａ、１２ｂ及び１２ｃ）と上層部に形成される第１のカムフラージュ部（１６）（特に、１６ａ、１６ｂ及び１６ｃ）は、それぞれ同じ位置である。
【００７５】
また、前述のとおり潜像部（１５）は、透過性の基材（６）上に最上層の第２の領域（１４）が形成されていることとなるが、透過性の基材（６）は、光を透過する材料によって形成されているため、本発明における第一の潜像画像（４）を視認させるには、透過光下においてのみ基材（６）の透過性を利用した潜像部（１５）を視認させることが必要となる。
【００７６】
したがって、反射光（拡散光）下においては、第２の領域（１４）内の第１のカムフラージュ部（１６）と潜像部（１５）は、等色とする必要がある。すなわち、第１のカムフラージュ部における１６ａ、１６ｂ及び１６ｃと、潜像部における１５ａ、１５ｂ及び１５ｃは、それぞれと等色とする必要がある。
【００７７】
よって、第２ａの領域（１４ａ）、第２ｂの領域（１４ｂ）及び第２ｃの領域（１４ｃ）は、それぞれ第１のカムフラージュ部（１６）と潜像部（１５）の２色により形成されていることとなる。なお、潜像部（１５）は、透過率３％以上１００％以下の範囲で形成する。この範囲よりも低いと、最下層の基材（６）の透過性を視認することができなくなる。
【００７８】
本発明における等（同）色とは、可視光源下の拡散光領域で観察した際に、色差 ΔＥが６未満のことを示す。一般的に、色差 ΔＥが６前後においては、異なった色として視認される可能性がある。ただし、前述のとおり、本発明においては、第１の領域（１３）及び第２の領域（１４）は、肉眼ではそれぞれの領域を区別して視認することができない微細な大きさにより構成している。そのことから、色差 ΔＥが６未満であれば、可視光源下の拡散光領域において、肉眼では第２の領域（１４）内における潜像部（１５）と第１のカムフラージュ部（１６）は等色として視認される。
【００７９】
なお、メタメリズムの関係により、可視光源下の拡散光領域において観察した際に、肉眼で等しい色に視認された色が、特定の光源下の拡散光領域において観察した際に、異なる色で視認された場合においても、本発明においては、第２の領域（１４）における潜像部（１５）と第１のカムフラージュ部（１６）は、等色に形成されていることとする。
【００８０】
また、本発明の印刷媒体（１）は、第一の潜像画像（４）をより鮮明に視認可能とするために、少なくとも２色以上により形成することから、第一の潜像画像（４）を形成するための第２の領域（１４）を、例えば、ＹＭＣの色成分による三つの色分解領域（１４ａ、１４ｂ及び１４ｃ）で構成した場合、形成される第一の潜像画像（４）のカラーバランス及び階調については、隠蔽層（７）のくり抜き部（９）において、画像形成層（８）の三つの色分解領域（１４ａ、１４ｂ及び１４ｃ）に対応した位置の各くり抜き部（９ａ、９ｂ及び９ｃ）の大きさを変えることで可能となる。
【００８１】
図５（ｂ）に示した画像形成層（８）を構成する網点構成における各領域の面積（縦×横）は、例えば、第１の領域（１３）をｍ×ｍで形成し、第２の領域（１４）をｎ×ｎで形成すると、ｍ＞ｎ＞０の範囲内で適宜設定することが可能である。
【００８２】
画像形成層（８）を構成する第１の領域（１３）及び第２の領域（１４）を印刷するインキは、一般の商業印刷に用いるシアン（Ｃ）、マゼンタ（Ｍ）、イエロー（Ｙ）及びブラック（Ｂｋ）のプロセス基本インキと、それらのプロセスインキや特別な色顔料を用いて一つの有色の色材を作製した特色インキがある。インキの種別としては、オフセットインキ、グラビアインキ、スクリーンインキ及びインクジェットプリンタ用インク等がある。
【００８３】
（各画像の観察原理）
各層の構成及び積層状態における位置関係等について説明したところであるが、ここで、前述した各層の構成及び位置関係における本発明の可視画像（３）及び第一の潜像画像（４）の視認原理について説明する。
【００８４】
まず、可視画像（３）及び第一の潜像画像（４）を視認するために必要となる観察位置について説明する。前述のとおり、画像形成層（８）における潜像部（１５）と第１のカムフラージュ部（１６）は、可視光源下における反射光（拡散光）下においては、等色として視認されることで、肉眼では、潜像部（１５）（実際には、潜像部（１５）から視認される基材（６））を視認することができず、反対に、透過光下においては、肉眼で潜像部（１５）を視認可能となるように構成する。一般的に物体の色は、光源、観察環境（温度）及び物体の分光反射率等により決定される。これらの観察条件により視認する色の感じ方はそれぞれ異なるが、本発明においての観察条件は、一定の条件であるものとする（例えば、観察条件：光源がＤ６５で観察環境が２０℃）。
【００８５】
図１０は、本発明に関わる印刷媒体（１）を、定位置の可視光源（Ｒ）に対して観察位置を反射光（拡散光）及び透過光で観察した際の可視光源（Ｒ）、視点（Ｅ１、Ｅ２）及び印刷媒体（１）の三つの位置関係を示した図である。可視光源（Ｒ）と視点（Ｅ１）と印刷媒体（１）が図１０（ａ）に示す位置関係にあるとき、反射光（拡散光）下で観察したことになる。また、可視光源（Ｒ）と視点（Ｅ２）と印刷媒体（１）が図１０（ｂ）に示す位置関係にあるときは、透過光下で観察したことになる。
【００８６】
次に、観察位置の変化により、潜像部（１５）と第１のカムフラージュ部（１６）との色差 ΔＥが所定の値変化する原理について説明する。前述のとおり、本発明における反射光（拡散光）とは、定位置の可視光源（Ｒ）からの入射光角度が４５°の場合において、受光角度が−１０〜１０°となる位置であり、透過光とは、定位置の可視光源（Ｒ）と視点（Ｅ２）を結ぶ直線上に印刷媒体（１）を置き、印刷媒体（１）を可視光源（Ｒ）に対して透かして観察する位置のことである。印刷媒体（１）において、潜像部（１５）及び第１のカムフラージュ部（１６）は、図１０（ａ）に示す反射光（拡散光）を意味する位置関係では等色であり、肉眼では、それぞれの領域を区別して視認することができず、可視画像（３）のみ視認される。
【００８７】
反対に、図１０（ｂ）に示す透過光下において、潜像部（１５）は、光透過性材料（５）を用いた基材（６）で形成している。それにより、観察位置を定位置の可視光源（Ｒ）に対して反射光（拡散光）下から透過光下へ変化させることで、明度及び／又は色が変化し、潜像部（１５）と第１のカムフラージュ部（１６）の色差 ΔＥが所定の値変化する。よって、潜像部（１５）は視認可能となり、第一の潜像画像（４）が視認可能となる。
【００８８】
図１１は、本発明に関わる反射光（拡散光）下又は透過光下における、それぞれの潜像部（１５）及び第１のカムフラージュ部（１６）の色差 ΔＥを示すグラフであり、図１１の左側は、反射光（拡散光）下における潜像部（１５）及び第１のカムフラージュ部（１６）の色差 ΔＥを示し、図１１の右側は、透過光下における潜像部（１５）及び第１のカムフラージュ部（１６）の色差 ΔＥを示す。なお、図１１における網点構成は、図５（ｂ）と同じ構成とする。
【００８９】
測定サンプルは、まず、測定サンプルＡ（４×４ｃｍ）として、第１の領域（１３）を解像度６００ｄｐｉ（以下、同じ解像度のものとする。）で３０×３０ピクセルに相当する面積及び第２の領域（１４）を１２×１２ピクセルに相当する面積により、ＹＭＣの色成分による三つの色分解領域（１４ａ、１４ｂ及び１４ｃ）をそれぞれ１２×４ピクセルに相当する面積とし、厚さ０．２ｍｍを有するＰＥＴフィルムから成る基材（６）上に、隠蔽層（７）として第２の隠蔽領域（１１）におけるくり抜き部（９）の面積率を１００％（第２の隠蔽領域（１１）が全てくり抜き部（９）になっている状態）とし、白インク（東洋インキ製造株式会社製、ＬＩＯＪＥＴ  ＦＶ０３  ホワイト）を用いて、インクジェット印刷により第１の隠蔽領域（１０）のみを隠蔽面積率１００％（ベタ印刷）とし、画像形成層（８）として第１の領域（１３）を印刷せずに潜像部（１５）の面積率を１００％（第１のカムフラージュ部（１６）の面積率を０％）としてＹＭＣの色成分による三つの色分解領域（１４ａ、１４ｂ及び１４ｃ）をプロセスインク（東洋インキ製造株式会社製、ＬＩＯＪＥＴ  ＦＶ０３  シアン、マゼンタ及びイエロー）を用いて、インクジェット印刷により作製した。
【００９０】
また、測定サンプルＢ（４×４ｃｍ）は、第１の領域（１３）を３０×３０ピクセルに相当する面積及び第２の領域（１４）を１２×１２ピクセルに相当する面積により、ＹＭＣの色成分による三つの色分解領域（１４ａ、１４ｂ及び１４ｃ）をそれぞれ１２×４ピクセルに相当する面積とし、厚さ０．２ｍｍを有するＰＥＴフィルムから成る基材（６）上に、隠蔽層（７）として第２の隠蔽領域（１１）におけるくり抜き部（９）の面積率を０％（第２の隠蔽領域（１１）にくり抜き部（９）がない状態）とし、白インク（東洋インキ製造株式会社製、ＬＩＯＪＥＴ  ＦＶ０３  ホワイト）を用いて、インクジェット印刷により第１の隠蔽領域（１０）及び第２の隠蔽領域（１１）を隠蔽面積率１００％（ベタ印刷）し、画像形成層（８）として第１の領域（１３）を印刷せずに第２の領域（１４）の第１のカムフラージュ部（１６）の面積率を１００％（潜像点部（１５）の面積率を０％）とし、ＹＭＣの色成分による三つの色分解領域（１４ａ、１４ｂ及び１４ｃ）をプロセスインク（東洋インキ製造株式会社製、ＬＩＯＪＥＴ  ＦＶ０３  シアン、マゼンタ、イエロー及びブラック）を用いて、インクジェット印刷により作製した。
【００９１】
図１１に示した反射光（拡散光）下における潜像部（１５）及び第１のカムフラージュ部（１６）の色差 ΔＥを示すグラフと、図１１に示した透過光下における潜像部（１５）及び第１のカムフラージュ部（１６）の色差 ΔＥは、自記分光光度計（ＨＩＴＡＣＨＩ製、Ｕ−４０００形）を用いて、測定サンプルＡ及び測定サンプルＢの波長４００〜７００ｎｍの分光反射率及び分光透過率を測定し、得られた値から色差 ΔＥを算出した。なお、測定サンプルＡ及び測定サンプルＢは、画像形成層（８）として第１の領域（１３）を印刷していないため、測定サンプルＡ（第１のカムフラージュ部（１６）の面積率を０％、すなわち、潜像部（１５）の面積率を１００％）及び測定サンプルＢ（第１のカムフラージュ部（１６）の面積率を１００％）との色差 ΔＥを、潜像部（１５）及び第１のカムフラージュ部（１６）との色差 ΔＥとして表記する。
【００９２】
図１１に示したように、反射光（拡散光）下においては、潜像部（１５）及び第１のカムフラージュ部（１６）との色差 ΔＥは、１．２３と相対的に小さい値を示している。前述したとおり、色差 ΔＥが６未満であれば等色であることから、反射光（拡散光）下においては、に潜像部（１５）及び第１のカムフラージュ部（１６）は等色といえる。よって、潜像部（１５）及び第１のカムフラージュ部（１６）は、肉眼で識別することが困難であり、その結果、透過潜像領域（２）内に形成された第一の潜像画像（４）は、視認することができない。
【００９３】
反対に、図１１に示した透過光下においては、潜像部（１５）及び第１のカムフラージュ部（１６）との色差 ΔＥが、７．３７を示している。反射光（拡散光）下における、潜像部（１５）と第１のカムフラージュ部（１６）との色差 ΔＥが１．２３に対して、透過光下における、潜像部（１５）と第１のカムフラージュ部（１６）との色差 ΔＥは７．３７である。つまり、観察位置を反射光（拡散光）下から透過光下へ変化させることで、色差 ΔＥは、１．２３から７．３７へと、６．１４変化する。よって、色差 ΔＥが５以上変化することで、潜像部（１５）及び第１のカムフラージュ部（１６）は、肉眼で識別することが可能となり、その結果、透過潜像領域（２）内に形成された第一の潜像画像（４）を視認することが可能となる。
【００９４】
なお、可視光源（Ｒ）に対し、反射光（拡散光）と透過光は、観察位置を変えることにより切り替えられる。つまり、基材（６）を可視光源（Ｒ）に対して透かして見ることで、潜像部（１５）及び第１のカムフラージュ部（１６）は、肉眼で識別することが可能となる。その結果、透過潜像領域（２）内に形成された第一の潜像画像（４）を視認することが可能となる。
【００９５】
（本発明における可視画像の視認原理）
さらに、可視画像（３）が視認される原理を詳細に説明する。図１２は、本発明に関わる印刷媒体（１）に形成された透過潜像領域（２）を、定位置の可視光源（Ｒ）下の拡散光領域において、肉眼で視認した場合の平面図及び一部拡大の模式図である。透過潜像領域（２）は、可視光源（Ｒ）下の拡散光領域において、図１２（ｂ）に示した一部拡大図のように、第１の網点部（１３ａ）が視認可能となり、逆に、画像形成層（８）における潜像部（１５）及び第１のカムフラージュ部（１６）は、等色として視認されるため、それぞれの領域を区別することはできない。したがって、潜像部（１５）によって形成される第一の潜像画像（４）を視認することはできず、図１２（ａ）に示した可視画像（３）のみが視認される。
【００９６】
図１２（ｃ）は、可視画像（３）が視認されるときの印刷媒体（１）、可視光源（Ｒ）及び視点との関係を示す模式図である。印刷媒体（１）を可視光源（Ｒ）下の拡散光領域において、肉眼で視認した際には、まず、第１の領域（１３）においては、可視光源（Ｒ）からの入射光（Ｒ１）によって、正反射光（Ｒ２）と拡散光（Ｒ３）が生じ、拡散光領域では、拡散光（Ｒ３）が得られる。
【００９７】
第２の領域（１４）においては、可視光源（Ｒ）からの入射光（Ｒ１）によって、正反射光（Ｒ４）と拡散光（Ｒ５）が生じ、拡散光領域では、拡散光（Ｒ５）が得られる。また、第２の領域（１４）は、潜像部（１５）及び第１のカムフラージュ部（１６）で構成されていることから、双方に対して、それぞれ正反射光（図示せず）と拡散光（図示せず）が得られる。潜像部（１５）及び第１のカムフラージュ部（１６）は、可視光源下の拡散光領域で観察したときに、等色となるように形成されていることから、それぞれの領域における拡散光の差異は、肉眼では視認することができない。
【００９８】
本発明における画像形成層（８）を構成する網点構成においては、第１の領域（１３）の面積を第２の領域（１４）より大きく構成する。したがって、可視光源下における拡散光領域においては、第１の領域（１３）が第２の領域（１４）よりも支配的に観察される。また、前述のとおり第２の領域（１４）における潜像部（１５）及び第１のカムフラージュ部（１６）は、可視光源下の拡散光領域で観察したときに、等色となるように形成されていることから、潜像部（１５）によって形成されている第一の潜像画像（４）を視認することはできず、可視画像（３）のみが視認可能となる。
【００９９】
（本発明における第一の潜像画像の視認原理）
次に、第一の潜像画像（４）を視認することができる原理の詳細を説明する。図１３は、本発明の印刷媒体（１）に形成された透過潜像領域（２）を、定位置の可視光源（Ｒ）下の透過光下において、肉眼で視認した場合の平面図及び模式図である。透過潜像領域（２）は、可視光源（Ｒ）下の透過光下において、図１３（ｂ）に示した一部拡大図のように、潜像部（１５）（隠蔽層（７）のくり抜き部（９）に対応した位置）は、肉眼で視認可能となる。つまり、第一の潜像画像（４）を視認することが可能となる。
【０１００】
これは、反射光（拡散光）下において等色となって区別がつかなかった第２の領域（１４）における潜像部（１５）と第１のカムフラージュ部（１６）が、透過光下においては、潜像部（１５）の下部に当たる基材（６）からの透過光によって、その上の層のくり抜き部（９）を介して画像形成層（８）の潜像部（１５）と第１のカムフラージュ部（１６）との色差 ΔＥが所定の値変化し、同じ第２の領域（１４）内において、潜像部（１５）と第１のカムフラージュ部（１６）とを肉眼で区別することが可能となったからである。
【０１０１】
図１３（ｃ）を用いて、可視光源（Ｒ）下の透過光下における第一の潜像画像（４）の視認原理について説明する。印刷媒体（１）を、可視光源（Ｒ）下の透過光下において、肉眼で視認した際には、まず、第１の領域（１３）に対しては、可視光源（Ｒ）からの入射光（Ｒ１）によって、透過光（Ｒ４）が得られる。
【０１０２】
第一の潜像画像（４）を形成する潜像部（１５）では、透過光（Ｒ５）が得られる。また、第１のカムフラージュ部（１６）では、可視光源（Ｒ）からの入射光（Ｒ１）によって透過光（Ｒ４）が得られる。
【０１０３】
よって、潜像部（１５）は、光透過性材料（５）で形成されている基材（６）からの透過光を受け、第１の領域（１３）及び第１のカムフラージュ部（１６）のそれぞれの透過光（Ｒ４）よりも高くなり、その明度の差異によって第１のカムフラージュ部（１６）に対して潜像部（１５）に高い色差 ΔＥが生じて透過潜像画像として第一の潜像画像（４）を視認することができる。よって、可視光源下の透過光下においては、印刷媒体（１）を観察した場合、新たに第一の潜像画像（４）を視認することができる。
【０１０４】
（第２の実施形態）
次に、本発明の別の形態について説明するが、基材（６）及び画像形成層（８）については、第１の実施形態と同様であるため省略することとし、併せて、隠蔽層（７）の一部についても第１の実施形態と重複するところは省略することとする。
【０１０５】
第２の実施形態では、第１の実施形態と異なるところとして、隠蔽層（７）においてくり抜き部（９）を形成せず、第２ａの隠蔽部（１２）よりも隠蔽面積率の低い面積率の第２ｂの隠蔽部（１７）を形成することで、隠蔽面積率及び透過率の差異により潜像部（１５）を形成するところである。
【０１０６】
まず、隠蔽層（７）における層構成について、図１４を用いて説明する。隠蔽層（７）は、第１の実施形態と同様に、基材（６）の透過性を隠蔽する役割を担っているため、第１の実施形態及び第２の実施形態と同様に、白インキを用いて形成する。ただし、第１の実施形態におけるくり抜き部（９）に該当する箇所にも、図１４（ｃ）に示すように白インキを印刷することとするが、第１の隠蔽領域（１０）及び第２ａの隠蔽部（１２）の隠蔽面積率よりも低い隠蔽面積率によって形成することとし、この領域を、第２ｂの隠蔽部（１７）と定義する。
【０１０７】
したがって、隠蔽層（７）を構成している第１の隠蔽領域（１０）及び第２ａの隠蔽部（１２）と第２ｂの隠蔽部（１７）の隠蔽面積率の関係は、第１の隠蔽領域（１０）≧第２ａの隠蔽部（１２）＞第２ｂの隠蔽部（１７）となる。ただし、第２ｂの隠蔽部（１７）は、透過光下において下層の基材（６）の透過性を伴わせる必要があるため、隠蔽面積率については、０％以上１００％未満の範囲とする必要がある。
【０１０８】
また、第１の隠蔽領域（１０）及び第２ａの隠蔽部（１２）は、反射光（拡散光）下において下層の基材（６）の透過性を抑える必要があるため、隠蔽面積率については、０％よりも大きく、１００％以下の範囲とする必要がある。なお、前述のとおり、第２ｂの隠蔽部（１７）は、白インキを印刷することで、第１の実施形態におけるくり抜き部（９）と区分けして定義しているが、第２ｂの隠蔽部（１７）の隠蔽面積率を０％としてもよい。例えば、第１の実施形態と同様に、第１の隠蔽領域（１０）の隠蔽面積率を１００％、第２ａの隠蔽部（１２）の隠蔽面積率を１００％、第２ｂの隠蔽部（１７）の隠蔽面積率を０％としてもよい。なお、隠蔽層（７）の光透過率（例えば、白インキで形成した隠蔽面積率１００％の隠蔽層（７）の光透過率）によって、前述の第１の隠蔽領域（１０）、第２ａの隠蔽部（１２）及び第２ｂの隠蔽部（１７）の隠蔽面積率の適正範囲は異なるため、前述の適正範囲に限定するものではない。
【０１０９】
第２ｂの隠蔽部（１７）を、第１の隠蔽領域（１０）及び第２ａの隠蔽部（１２）よりも隠蔽面積率を低くすることにより、前述のとおり、透過光下において基材（６）における透過光を視認することができることとなるため、第２ｂの隠蔽部（１７）を複数配置することで、第一の潜像画像（４）を形成することとなる。なお、第１の隠蔽領域（１０）、第２ａの隠蔽部（１２）及び第２ｂの隠蔽部（１７）の隠蔽面積率を０％若しくは０％に近似した設定である、すなわち、隠蔽層（７）を略除いた設定とした場合でも、印刷媒体として第２ｂの隠蔽部（１７）の透過性が第１の領域（１３）及び第２の領域（１４）よりも高ければ、透過光下における第一の潜像画像（４）は視認可能である。しかし、第１の隠蔽領域（１０）及び第２ａの隠蔽部（１２）と第２ｂの隠蔽部（１７）の隠蔽面積率が近似すると、透過光下における第一の潜像画像（４）の視認性が低下するおそれもあるので、第１の隠蔽領域（１０）、第２ａの隠蔽部（１２）及び第２ｂの隠蔽部（１７）の隠蔽面積率を適宜設定する必要がある。
【０１１０】
隠蔽層（７）をこのような構成とすることで、第２ｂの隠蔽部（１７）が他の隠蔽領域よりも隠蔽面積率が低いため、透過光下では、基材（６）の透過光の強度が他の隠蔽領域よりも大きくなり、画像形成層（８）の第２の領域（１４）内において、隠蔽層（７）の第２ｂの隠蔽部（１７）に相当する領域が基材（６）の透過光により第１の実施形態で説明した第一の潜像画像（４）を形成するための潜像部（１５）となる。
【０１１１】
（第３の実施形態）
次に、本発明の別の形態について説明するが、基材（６）、隠蔽層（７）及び画像形成層（８）の三つの層構成自体は、前述の第１の実施形態及び第２の実施形態と同様であるため、重複するところは省略することとする。
【０１１２】
第１の実施形態及び第２の実施形態では、反射光（拡散光）下で視認可能な可視画像（３）と透過光下で視認可能な第一の潜像画像（４）を形成するものであったが、本第３の実施形態では、更に赤外線光源下において視認可能となる第二の潜像画像（１８）を形成するものである。
【０１１３】
第３の実施形態における印刷媒体（１）は、外観上、図１と同様である。ただし、形成されている画像については、図１５（ａ）及び図１５（ｂ）に示すように、第１の実施形態及び第２の実施形態で説明した反射光（拡散光）下で視認可能な可視画像（３）及び透過光下で視認可能な第一の潜像画像（４）と、図１５（ｃ）で示すように、本実施形態で新たに加えられた赤外線光源下で視認可能となる第二の潜像画像（１８）の三つである。
【０１１４】
第二の潜像画像（１８）を形成するには、画像形成層（８）において第１の実施形態及び第２の実施形態とは異なる構成とする必要があるため、以下、画像形成層（８）の構成について説明する。なお、基材（６）及び隠蔽層（７）については、第１の実施形態及び第２の実施形態と同様である。
【０１１５】
画像形成層（８）における透過潜像領域（２）を示したのが図１６（ａ）であり、その網点構成の一部拡大図が図１６（ｂ）である。図１６（ｂ）に示すように、基本の網点構成は、前述した第１の実施形態及び第２の実施形態と同様であり、第１の領域（１３）を囲むように第２の領域（１４）が隙間なく配置されている。ここで、前述の実施形態と異なるところとして、第１の領域（１３）内に別の第３の領域（１９）が配置されているところである。ただし、この第３の領域（１９）については、必ずしも第１の領域（１３）内に配置しなければならないものではなく、第２の領域（１４）内に少なくとも二つ配置されている色分解領域と同様に、第２の領域（１４）内に配置されていてもよい。この配置例については、各領域の他の形状例と併せて後述する。
【０１１６】
図１６（ｃ１）は、可視画像（３）及び第１の領域（１３）の一例を示す図である。第１の領域（１３）は、可視光源下における反射光（拡散光）下において視認可能な可視画像（３）を形成する領域である。可視画像（３）を形成するための構成については、既に説明したため省略するが、本実施形態における第二の潜像画像（１８）は、赤外線光源下において視認可能となるため、第１の網点部（１３ａ）は、赤外線吸収色素を含まない有色の色材（特に有色インキ）を用いて形成する。第１の網点部（１３ａ）は、赤外線吸収色素を含まない有色の色材によって形成することで、赤外線カメラ等の特殊な鑑定装置を用いて観察した場合においては、可視画像（３）を視認することができない。
【０１１７】
なお、赤外線吸収色素を含まない有色の色材には、赤外線吸収特性を有さなければ特に限定されず、公知のグラビアインキ、スクリーンインキ及びプロセスインキ等を使用することができる。例えば、基本４色インキのうち、一般的なシアン（Ｃ）、マゼンタ（Ｍ）、イエロー（Ｙ）は、赤外線を吸収しない性質を持っており、これら３色を重ね合わせた減法混色による黒色系を表現すれば、赤外線を吸収しない色素と同様な効果が得られる。また、赤外線透過特性を有する黒色インキとして、クロモファインブラックインキ（大日精化工業株式会社製）やインクジェットプリンタ用の染料系インク（例えば、Ｃａｎｏｎ製染料系ブラックインク等）を使用することもできる。
【０１１８】
図１６（ｃ２）は、第一の潜像画像（４）及び第２の領域（１４）の一例を示す図である。第２の領域（１４）は、透過光下において視認可能な第一の潜像画像（４）を形成する領域である。この構成についても前述した第１の実施形態及び第２の実施形態と同様でてあるため、説明を省略する。
【０１１９】
図１６（ｃ３）は、第二の潜像画像（１８）及び第３の領域（１９）の一例を示す図である。第３の領域（１９）は、図１６（ｃ３）に示した、赤外線光源下において視認可能な第二の潜像画像（１８）を形成する領域であり、第３の網点部（１９ａ）及び第２のカムフラージュ部（１９ｂ）により構成されている。第二の潜像画像（１８）は、第３の領域（１９）における第３の網点部（１９ａ）と第２のカムフラージュ部（１９ｂ）との面積比率に応じて、複数配置された第３の領域（１９）により階調を付与することが可能となる。第３の領域（１９）において、第３の網点部（１９ａ）は、赤外線吸収色素を含む有色の色材を用いて形成する。
【０１２０】
なお、赤外線吸収色素を含む有色の色材には、カーボンブラックを主体としたブラック（Ｂｋ）がある。ただし、赤外線吸収特性を有する有色の色材であればこれに限定しない。例えば、赤外領域に吸収を持つ有機色素として、ポリメチレン系、フタロシアニン系、アゾ系及びアントラキノン系等の化合物が挙げられ、無機系の赤外線吸収剤として、アンチモンドープ酸化錫や錫ドープ酸化インジウムが挙げられる。
【０１２１】
第３の領域（１９）において、第２のカムフラージュ部（１９ｂ）は、赤外線吸収色素を含まない有色の色材を用いて、第３の網点部（１９ａ）と等色に形成する。前述のとおり、本発明における等色とは、可視光源下の反射光（拡散光）下で観察した際に、肉眼で等しい色に視認される色を指し、具体的には、色差 ΔＥが６未満の色とする。なお、メタメリズムの関係により、可視光源下の反射光（拡散光）下において観察した際に、肉眼で等しい色に視認された色が、特定の光源下の反射光（拡散光）下において観察した際に、異なる色で視認された場合においても、本発明においては、第２のカムフラージュ部（１９ｂ）及び第３の網点部（１９ａ）は等色に形成されていることとする。
【０１２２】
第３の網点部（１９ａ）を、赤外線吸収色素を含む有色の色材を用いて形成し、第２のカムフラージュ部（１９ｂ）を、赤外線吸収色素を含まない有色の色材を用いて、第３の網点部（１９ａ）と等色に形成することで、可視光源下においては、第３の網点部（１９ａ）及び第２のカムフラージュ部（１９ｂ）は、等色として視認される。そのため、第３の領域（１９）は、均一な平網状態となり、肉眼では、第二の潜像画像（１８）を認識することはできないが、赤外線カメラ等の特殊な鑑定装置を用いて観察した場合においては、第二の潜像画像（１８）を視認することが可能となる。
【０１２３】
第３の網点部（１９ａ）及び第２のカムフラージュ部（１９ｂ）は、第３の領域（１９）内に重畳又は毛抜き合わせにより形成することが可能であるが、本発明においては重畳により形成することが好ましい。毛抜き合わせにより形成した際には、高い刷り合せ精度が要求される。刷り合わせ精度が低い際には、第３の網点部（１９ａ）の周囲に被印刷部が発生する。それにより、可視光源下において、第３の領域（１９）は均一な平網状態とはならず、肉眼で第二の潜像画像（１８）が視認可能となるおそれがある。
【０１２４】
以上の画像形成層（８）の構成を用いた状態で三つの層により透過潜像領域（２）を構成した状態を示した図が図１７（ａ）であり、図１７（ａ）におけるＹ１−Ｙ２断面図が図１７（ｂ）である。図１７（ａ）のとおり、第３の実施形態の印刷媒体（１）は、図７を用いて説明した第１の実施形態の構成に、前述の第３の領域（１９）が加わった構成である。なお、本第３の実施形態は、第３の網点部（１９ａ）を赤外吸収色素を含む色材で形成するため、隠蔽層（７）については、赤外吸収色素を含まないことが必要となる。仮に、隠蔽層（７）が赤外線吸収色素を含むような場合、赤外線光源下において、第３の網点部（１９ａ）で形成した第二の潜像画像（１８）を視認することができなくなる。
【０１２５】
さらに、隠蔽材料により形成された隠蔽層（７）は、赤外線領域での透過率が８０％以下であることが好ましい。隠蔽層（７）の赤外線領域での透過率が８０％以上となった場合には、第３の実施形態により得られた印刷媒体を赤外線光源下において観察した際に、基材（６）を隠蔽する隠蔽層（７）が透過し、第１の領域（１３）、第２の領域（１４）及び第３の領域（１９）は、全て透過した状態として基材（６）が観察される。そのため、基材（６）が赤外線吸収色素を含んでいる場合、濃度が高く（黒っぽく）観察される。したがって、第３の網点部（１９ａ）を、他の領域と識別することができず、その結果、赤外線光下において観察可能な第二の潜像画像（１８）を視認することができなくなるため、隠蔽層（７）の赤外線領域での透過率を８０％以上とすることは、好ましくない。
【０１２６】
図１８は、本発明に関わる白インキ及びマゼンタインキの分光透過率の一例を示すグラフである。図１８における（ａ）は、本発明における隠蔽材料の分光透過率であり、測定サンプルとして白インク（東洋インキ製造株式会社製  ＬＩＯＪＥＴ  ＦＶ０３  ホワイト）を用いてインクジェット印刷により無色（透明）のＰＥＴフィルムにベタ印刷を施したものを用いた。図１８における（ｂ）は、本発明における隠蔽材料の分光透過率であり、測定サンプルとして白インク（東洋インキ製造株式会社製  ＬＩＯＪＥＴ  ＦＶ０３  ホワイト）を用いてインクジェット印刷によりＰＥＴフィルムに、図１８における（ａ）に示したサンプルに対し印刷濃度を下げて印刷を施したものを用いた。
【０１２７】
図１８における（ｃ）は、本発明における赤外線吸収色素を含まない色材の分光透過率であり、測定サンプルとしてマゼンタインク（東洋インキ製造株式会社製  ＬＩＯＪＥＴ  ＦＶ０３  マゼンタ）を用いてインクジェット印刷によりＰＥＴフィルムにベタ印刷を施したものを用いた。なお、図１８に示した分光透過率は、各測定サンプルの分光透過率から、基材である無色（透明）のＰＥＴフィルム単体の分光透過率を除算したものを示しており、分光透過率は、自記分光光度計（ＨＩＴＡＣＨＩ製  Ｕ−４０００形）を用いて測定した。
【０１２８】
７６０〜８００ｎｍの赤外線領域において、分光透過率の変化をそれぞれ比較すると、隠蔽材料（ａ）における分光透過率は、いずれの領域においても５０％程度と略一定である。印刷濃度を下げて印刷した隠蔽材料（ｂ）における分光透過率は、赤外線領域において８０％程度とベタ印刷した隠蔽材料（ａ）と比べると高い値となっている。赤外線吸収色素を含まない赤外線透過材料（ｃ）は、赤外線領域においては、９５％程度とベタ印刷した白インキ（ａ）及び印刷濃度を下げて印刷した白インキ（ｂ）に比べ、高い値となっている。なお、同一の波長においては、赤外線吸収色素を含まない色材の場合、分光透過率が低い方が、濃度が高く（白っぽく）視認され、反対に分光透過率が高い方が、濃度が低く（透明っぽく）視認される。なお、赤外線カメラを用いて観察した際には、隠蔽材料（ａ）は白く、印刷濃度を下げて印刷した隠蔽材料（ｂ）は淡い白に、また、赤外線透過材料（ｃ）は、略透明に観察された。
【０１２９】
第２の領域（１４）において、第１のカムフラージュ部（１６）は、可視光源下における反射光（拡散光）下において潜像部（１５）と等色であり、第１のカムフラージュ部（１６）の周囲に赤外線吸収色素を含む有色の色材か、又は含まない有色の色材を用いて形成する。前述のとおり、第１のカムフラージュ部（１６）は、隠蔽材料を施さないくり抜き部（９）を介して、基材（６）である光透過性材料（５）を一部露出させることにより形成されている。このため、基材（６）が赤外線吸収色素を含んでいる場合、第１のカムフラージュ部（１６）は、赤外線吸収色素を含む有色の色材で形成する必要があり、基材（６）が赤外線吸収色素を含まない場合、第１のカムフラージュ部（１６）は、赤外線吸収色素を含まない有色の色材で形成する必要がある。これは、第二の潜像画像（１８）を赤外線カメラ等の装置で観察した際に、第二の潜像画像（１８）の視認性に影響を及ぼすからである。
【０１３０】
基材（６）が赤外線吸収色素を含む場合及び含まない場合と、第１のカムフラージュ部（１６）を形成する有色の色材が赤外線吸収色素を含む場合及び含まない場合の第二の潜像画像（１８）の観察画像の違いについては、後述する。
【０１３１】
第３の実施形態の網点構成におけるそれぞれの領域の面積（縦×横）は、第１の領域（１３）をｍ×ｍで形成し、第２の領域（１４）をｎ×ｎで形成し、第３の領域（１９）をｋ×ｋで形成したとすると、ｍ＞ｎ＞０及びｍ＞ｋ＞０の範囲内で適宜設定することが可能である。好ましくは、第１の領域（１３）をｍ×ｍ（ｍ≧２、ｍは整数）、第３の領域（１９）をｋ×ｋ（ｋ≧１、ｋは整数）、第２の領域（１４）をｎ×ｎ（ｎ≧１、ｎは整数）で形成し、更に第１の領域（１３）の面積が、第２の領域（１４）及び第３の領域（１９）の面積の和よりも大きい（ｍ２＞ｎ２＋ｋ２）ことが好ましい。第１の領域（１３）の面積が、第２の領域（１４）及び第３の領域（１９）の面積の和よりも小さい場合には、可視光源下の反射光（拡散光）下で観察した際に、第２の領域（１４）及び第３の領域（１９）がノイズとなり、可視画像（３）の視認性を低下させ好ましくない。
【０１３２】
図１９は、本発明に関わる透過性の基材（６）、隠蔽層（７）を形成する隠蔽材料、赤外線吸収色素を含まないインキ及び赤外線吸収色素を含むインキの分光反射率の一例を示すグラフである。図１９における（ａ）は、本発明における基材（６）の分光反射率であり、測定サンプルとして赤外線吸収色素を含まない０．２ｍｍの厚さを有する無色（透明）のＰＥＴフィルムを用いた。図１９における（ｂ）は、本発明における隠蔽層（７）の分光反射率であり、測定サンプルとして、白インク（東洋インキ製造株式会社製  ＬＩＯＪＥＴ  ＦＶ０３  ホワイト）を用いてインクジェット印刷により前述のＰＥＴフィルムにベタ印刷を施したものを用いた。図１９における（ｃ）は、本発明における赤外線吸収色素を含まない色材の分光反射率であり、測定サンプルとしてマゼンタインク（東洋インキ製造株式会社製  ＬＩＯＪＥＴ  ＦＶ０３  マゼンタ）を用いてインクジェット印刷によりＰＥＴフィルムにベタ印刷を施したものを用いた。図１９における（ｄ）は、本発明における赤外線吸収色素を含む色材の分光反射率であり、測定サンプルとしてブラックインク（東洋インキ製造株式会社製  ＬＩＯＪＥＴ  ＦＶ０３  ブラック）を用いてインクジェット印刷によりＰＥＴフィルムにベタ印刷を施したものを用いた。
【０１３３】
なお、図１９に示した分光反射率は、自記分光光度計（ＨＩＴＡＣＨＩ製、Ｕ−４０００形）を用いて測定した。
【０１３４】
４００〜７６０ｎｍの可視光領域と、７６０〜８００ｎｍの赤外線領域において、分光反射率の変化をそれぞれ比較すると、ＰＥＴフィルム（ａ）における分光反射率は、いずれの領域においても９５％前後と略一定である。白インク（ｂ）における分光反射率は、可視光領域の短波長を除き、可視光領域及び赤外線領域、いずれの領域においてもＰＥＴフィルム（ａ）と略同じである。また、マゼンタインク（ｃ）における分光反射率は、赤外線領域においては、９５％前後と略一定である。ブラックインク（ｄ）における分光反射率は、赤外線領域においては、５％前後と略一定である。なお、同一の波長においては、分光反射率が高い方が、濃度が低く（白っぽく）視認され、反対に分光反射率が低い方が、濃度が高く（黒っぽく）視認される。なお、赤外線カメラを用いて観察した際には、ＰＥＴフィルム（ａ）及びマゼンタインク（ｃ）は、白っぽく（略透明）、白インク（ｂ）は白く、ブラックインク（ｄ）は黒く観察された。
【０１３５】
（第二の潜像画像の視認原理）
図２０は、本発明に関わる第３の実施形態の網点構成により形成した印刷媒体（１）の透過潜像領域（２）を、赤外線表示装置を介して観察した状態（以下「赤外線光源下」という。）において、観察される平面図及び模式図である。図２０を用いて、赤外線光源下における第二の潜像画像（１８）の観察原理について説明する。図２０（ｂ）に示すように、赤外線光源下において透過潜像領域（２）を観察した場合、画像形成層（８）の下層となる隠蔽層（７）は、白インキを用いて構成されているため、前述のとおり、白く観察される。また、第１の領域（１３）は、赤外線吸収色素を含まない有色の色材を用いて構成されているため、白く観察される。
【０１３６】
潜像部（１５）は、赤外線吸収色素を含まない有色の色材を用いて形成されている場合、下層である隠蔽層（７）のくり抜き部（９）を介して基材（６）が観察され、基材（６）が赤外線吸収色素を含む場合は、若干黒く観察される。同様に、潜像部（１５）が、赤外線吸収色素を含む有色の色材を用いて形成されている場合も黒く観察される。そのため、第１のカムフラージュ部（１６）は、赤外線光源下において観察した場合に潜像部（１５）と同程度の濃度になるようにする必要があり、適宜赤外線吸収色素を含む有色の色材を用いて形成することになる。この場合、赤外線領域において観察した際に、第１のカムフラージュ部（１６）は、若干黒く観察される。
【０１３７】
つまり、潜像部（１５）と第１のカムフラージュ部（１６）は、赤外線領域において若干黒っぽく観察される。よって、第２の領域（１４）は、図２０（ａ）及び図２０（ｂ）に示すように、一様な濃度を有するベタ領域（２０）として観察される。つまり、潜像部（１５）で構成された第一の潜像画像（４）は、観察されない。また、第３の網点部（１９ａ）は、赤外線吸収色素を含む有色の色材で形成されており、前述のとおり赤外線領域において黒っぽく観察される。一方、第２のカムフラージュ部（１９ｂ）は、赤外線吸収色素を含まない有色の色材で形成されており、前述のとおり赤外線領域において白っぽく観察される。よって、赤外線光源下において印刷媒体（１）を観察した場合、第２の領域（１４）で構成された一様な濃度のベタ領域（２０）を背景として第３の網点部（１９ａ）で構成された第二の潜像画像（１８）を観察することができる。
【０１３８】
なお、前述のとおり赤外線光源下においては、基材（６）に赤外線吸収色素を含む光透過性材料（５）を用いた場合、ベタ領域（２０）も観察可能であるが、本発明における第二の潜像画像（１８）は、第３の領域（１９）により形成された画像のみをいう。
【０１３９】
基材（６）が赤外線領域において若干黒く観察される場合や、潜像部（１５）が、赤外線吸収色素を含む有色の色材を用いて形成されている場合について、図２０を用いて説明したが、次に、基材（６）に赤外線吸収色素を含まず、赤外線領域において分光反射率が高く（９０％以上）、潜像部（１５）が赤外線吸収色素を含まない有色の色材を用いて形成されている場合について、図２１を用いて説明する。
【０１４０】
図２１は、本発明に関わる第３の実施形態の網点構成により形成した印刷媒体（１）の透過潜像領域（２）を、赤外線光源下において観察した場合の平面図及び模式図である。図２１を用いて、赤外線光源下において第二の潜像画像（１８）が観察可能となる原理について説明する。図２１（ａ）に示すように、赤外線光源下において透過潜像領域（２）を観察した場合、画像形成層（８）の下層となる隠蔽層（７）は、白インキを用いて構成されているため、前述のとおり白く観察される。また、第１の領域（１３）は、赤外線吸収色素を含まない有色の色材を用いて構成されているため、白く観察される。
【０１４１】
潜像部（１５）は、赤外線吸収色素を含まない有色の色材を用いて形成されており、基材（６）も赤外線吸収色素を含まず、赤外線領域において分光反射率が高い（９０％以上）ことから、赤外線領域において白っぽく観察される。これに伴い、第１のカムフラージュ部（１６）は、赤外線吸収色素を含まない有色の色材を用いて形成する必要があり、赤外線領域において観察した際に、白っぽく観察される。
【０１４２】
つまり、潜像部（１５）と第１のカムフラージュ部（１６）は、赤外線領域において白っぽく観察される。よって、第２の領域（１４）は、図２１（ａ）及び図２１（ｂ）に示すように、ベタ領域（２０）は観察されず、一様な白い画像として観察される。つまり、潜像部（１５）で構成された第一の潜像画像（４）は、観察されない。また、第３の網点部（１９ａ）は、赤外線吸収色素を含む有色の色材で形成されており、前述のとおり赤外線領域において黒っぽく観察される。一方、第２のカムフラージュ部（１９ｂ）は、赤外線吸収色素を含まない有色の色材で形成されており、前述のとおり赤外線領域において白っぽく観察される。よって、赤外線光源下において印刷媒体（１）を観察した場合、第３の網点部（１９ａ）で構成された第二の潜像画像（１８）を観察することができる。
【０１４３】
本発明の画像形成層（８）の第１の領域（１３）により形成する可視画像（３）、潜像部（１５）により形成する第一の潜像画像（４）及び第３の網点部（１９ａ）により形成する第二の潜像画像（１８）は、文字、数字、記号、絵柄及び風景等を適宜設定することが可能であるが、第一の潜像画像（４）については、文字、数字、記号及び絵柄等の場合、ポジ画像で形成することが好ましく、人物や風景等の場合には、ネガ画像で形成することが好ましい。また、前述の説明では、くり抜き部（９ａ、９ｂ及び９ｃ）、第２ａの隠蔽部（１２ａ、１２ｂ及び１２ｃ）は、形状として四角形を用いていたが、四角形に限定されるものではなく、円形、三角、四角及び多角形等の形状、ランダムな形状又は本出願人が出願した特許第３４７８４７４号公報で開示している自由度のある網点形状を用いてもよい。
【０１４４】
また、本発明の画像形成層（８）により形成する第１の領域（１３）、第２の領域（１４）及び第３の領域（１９）の形状は、前述までの説明において、いずれも四角形としていたが、四角形に限定されるものではなく、第１の領域（１３）、第２の領域（１４）及び第３の領域（１９）を多角形としてもよい。例えば、図２２においては、別の多角形の一例として、第１の領域（１３）を六角形、第２の領域（１４）及び第３の領域（１９）を三角形とした。
【０１４５】
この図２２に示した形状例では、各領域が三角形になっているのと併せて、前述したように、第３の領域（１９）が第１の領域（１３）内ではなく、第２の領域（１４）内に、色分解領域と同様の形状により配置されている。このように、第３の領域（１９）は、第１の領域（１３）内に配置することに限定されるものではなく、第２の領域（１４）内に配置されていてもよい。なお、第２の領域（１４）内に第３の領域（１９）を配置する場合には、色分解領域に重ならないように配置する。
【０１４６】
また、前述の説明では、第一の潜像画像（４）の原画像をＹＭＣのそれぞれの色成分に色分解したが、ＲＧＢカラーモードのＲ（レッド）、Ｇ（グリーン）及びＢ（ブルー）の各色成分で色分解し、第２の領域（１４）を３分割し、ＲＧＢの各領域をＹＭＣプロセスインキか、又はＲＧＢに相当する特色インキで構成してもよい。同様に、第一の潜像画像（４）の原画像を２色で色分解し、２色の特色インキで第２の領域（１４）をそれぞれ構成してもよい。
【０１４７】
基材（６）、隠蔽層（７）及び画像形成層（８）をそれぞれ形成する方法としては、オフセット印刷方式、グラビア印刷方式、スクリーン印刷方式、フレキソ印刷方式、インクジェットプリンタ及びレーザプリンタ等、特に限定されるものではない。
【０１４８】
以下、本発明における透過潜像画像を有する印刷媒体（１）について、実施例を用いて詳細に説明するが、以下の実施例に限定されることはなく、特許請求の範囲に記載された技術的な範疇であれば、適宜、変更が可能なことはいうまでもない。
【実施例１】
【０１４９】
実施例１として、図１に示すように、左下部に本発明における透過潜像領域（２）を形成したカード型の印刷媒体である証明書（以下「証明書」という。）（１）を作製した。この証明書（１）を可視光源下における反射光（拡散光）下で観察すると、透過潜像領域（２）は、図２（ａ）に示したゴシック体の「ＮＰＢ」が視認され、証明書（１）を透かして透過光下で観察すると、透過潜像領域（２）は、図２（ｂ）に示した明朝体の「ＮＰＢ」がフルカラー画像として視認される。
【０１５０】
本実施例１における証明書（１）の基材（６）は、０．２ｍｍの厚さを有する無色（透明）のＰＥＴフィルムを用いた。したがって、本実施例１では、基材全面である、すなわち、基材自体に光透過性材料（５）を用いたこととなる。
【０１５１】
次に、基材（６）上の透過潜像領域（２）に当たる領域以外を、白インク（東洋インキ製造株式会社製  ＬＩＯＪＥＴ  ＦＶ０３  ホワイト）を用いてベタ刷りし、透過潜像領域（２）は、基材（６）のＰＥＴフィルムの透過性を抑えるための第１の隠蔽領域（１０）及び前述した実施の形態におけるくり抜き部（９）を除く第２ａの隠蔽部（１２）を、同じ白インクを用いて隠蔽層（７）を形成した。
【０１５２】
なお、第１の隠蔽領域（１０）とくり抜き部（９）を除いた第２ａの隠蔽部（１２）は、ともに隠蔽面積率１００％（ベタ）で印刷した。また、このくり抜き部（９）は、隠蔽層（７）の上に形成する画像形成層（８）における第２の領域（１４）を構成する三つの色成分であるＹＭＣに相当する箇所に対応するように、くり抜き部（９ａ）、くり抜き部（９ｂ）及びくり抜き部（９ｃ）から成る。
【０１５３】
次に、白インクにより形成した隠蔽層（７）の上の全面に、プロセスインク（東洋インキ製造株式会社製  ＬＩＯＪＥＴ  ＦＶ０３  シアン、マゼンタ、イエロー及びブラック）を用いて画像形成層（８）を形成した。この第２の領域（１４）は、ＹＭＣの三つの色成分で分割した色分解領域となっており、この第２の領域（１４）の下層の隠蔽層（７）には、前述のとおり、白インキを印刷していないくり抜き部（９）が配置されているが、反射光下では、この第２の領域（１４）の下層にくり抜き部（９）が形成されていることは視認することができない。
【０１５４】
この隠蔽層（７）のくり抜き部（９）に対応する位置の画像形成層（８）における第２の領域（１４）は、潜像部（１５）となって透過光下において透過性の基材（６）の透過光の影響を受けて第一の潜像画像（４）を形成するものである。
【０１５５】
この潜像部（１５）によって形成する第一の潜像画像（４）を、反射光（拡散光）下において視認させないために、第２の領域（１４）における潜像部（１５）以外の領域である第１のカムフラージュ部（１６）は、反射光（拡散光）下において潜像部（１５）と等色となるように形成した。反射光（拡散光）領域（例えば、受光角度０°）における、第１のカムフラージュ部（１６）と潜像部（１５）との色差ΔＥは１．１４であった。
【０１５６】
なお、少なくとも画像形成層（８）の透過潜像領域（２）の網点構成は、第１の領域（１３）を３０×３０ピクセルに相当する面積、第２の領域（１４）を１２×１２ピクセルに相当する面積で形成した。また、第１の領域（１３）は、第１の網点部（１３ａ）を円形ドットで形成した。
【０１５７】
このような層構成及び網点構成の位置関係としたことで、潜像部（１５）において、くり抜き部（９）を介して基材（６）の透過性を視認することが可能となる。また、透過潜像領域（２）以外の領域については、白インクにより基材（６）の透過性を抑えているため、透過性のない状態で、白インクの上に印刷されているプロセスインクにより可視画像（３）が形成されていることとなる。
【０１５８】
本実施例１にて作製した証明書（１）を、反射光（拡散光）下において観察したところ、可視画像（３）が視認され、第一の潜像画像（４）は視認することができなかった。次に、本実施例１にて作製した証明書（１）を、透過光下において観察したところ、潜像部（１５）は明るく視認され、第１のカムフラージュ部（１６）は、暗く視認されることで、第一の潜像画像（４）を視認することができた。
【実施例２】
【０１５９】
実施例２として、図２３に示すように、右下部に本発明における透過潜像領域（２´）を形成したカード型の証明書（１´）を作製した。この証明書（１´）を可視光源下における反射光（拡散光）下で観察すると、透過潜像領域（２´）は、図２４（ａ）に示した「複数の星」が視認され、証明書（１´）を光源に対して透かして透過光下で視認すると、透過潜像領域（２´）は、図２４（ｂ）に示した「合格」の文字が視認され、赤外線光源下において観察した場合には、図２４（ｃ）に示すような「スマイル」の画像を視認することができる。
【０１６０】
本実施例２における証明書（１´）の基材（６´）は、０．２ｍｍの厚さを有する無色（透明）のＰＥＴフィルムを用いた。したがって、本実施例２では、基材全面である、すなわち、基材自体に光透過性材料（５）を用いたこととなる。
【０１６１】
次に、基材（６´）上の透過潜像領域（２´）に当たる領域以外を、白インク（東洋インキ製造株式会社製  ＬＩＯＪＥＴ  ＦＶ０３  ホワイト）を用いてベタ刷りし、透過潜像領域（２´）は、同じ白インクを用いて、（後述する）基材（６´）のＰＥＴフィルムの透過性を抑えるための第１の隠蔽領域（１０´）及び第２ａの隠蔽部（１２´）と、さらには、第２ａの隠蔽部（１２´）に隣接する箇所（実施例１におけるくり抜き部（９）に対応する位置）に、基材（６´）の透過性を視認可能な程度の隠蔽面積率となる第２ｂの隠蔽部（１７´）を有するように隠蔽層（７´）を形成した。
【０１６２】
なお、第１の隠蔽領域（１０´）及び第２ａの隠蔽部（１２´）は、隠蔽面積率１００％、第２ｂの隠蔽部（１７´）は、隠蔽面積率１０％で印刷した。また、第２ａの隠蔽部（１２´）及び第２ｂの隠蔽部（１７´）は、この白インクの上に印刷する画像形成層（８´）の第２の領域（１４´）を均等に分割して構成するＹＭＣの三つの色成分と対応した位置関係を有している。
【０１６３】
次に、白インクにより形成した隠蔽層（７´）の上の全面に、プロセスインク（東洋インキ製造株式会社製  ＬＩＯＪＥＴ  ＦＶ０３  シアン、マゼンタ、イエロー及びブラック）を用いて画像形成層（８´）を形成した。この画像形成層（８´）については、透過潜像領域（２´）以外は、網点による通常の印刷を行い、透過潜像領域（２´）は、前述した第２の実施形態における構成とした。
【０１６４】
なお、少なくとも画像形成層（８´）の透過潜像領域（２´）の網点構成は、第１の領域（１３´）を３０×３０ピクセルに相当する面積、第２の領域（１４´）を１２×１２ピクセルに相当する面積及び第３の領域（１９´）を９×９ピクセルに相当する面積で形成した。
【０１６５】
第１の領域（１３´）において、第１の網点部（１３ａ´）は円形ドットであり、プロセスインク（東洋インキ製造株式会社製  ＬＩＯＪＥＴ  ＦＶ０３  シアン、マゼンタ及びイエロー）を用いて印刷した。第１の網点部（１３ａ´）と第１の網点部（１３ａ´）以外の領域との面積比率を変化させ、可視画像（３´）を形成した。
【０１６６】
第２の領域（１４´）は、前述のとおり、ＹＭＣの三つの色成分の色材により均等に分割した。この第２の領域（１４´）の下層には、基材（６´）の透過性を隠蔽する第２の隠蔽領域（１１´）と、基材（６´）の透過性を視認可能な程度の隠蔽率を有する第２ｂの隠蔽部（１７´）が形成されている。この第２ｂの隠蔽部（１７´）に対応する位置の第２の領域（１４´）は、潜像部（１５´）となって第一の潜像画像（４´）を形成する。
【０１６７】
この潜像部（１５´）によって形成する第一の潜像画像（４´）を、反射光（拡散光）下において視認させないために、第２の領域（１４´）における潜像部（１５´）以外の第１のカムフラージュ部（１６´）は、反射光（拡散光）下において潜像部（１５´）と等色となるように印刷した。隠蔽層（７´）における第２ａの隠蔽部（１２´）及び第２ｂの隠蔽部（１７´）の面積比率を変化し、第一の潜像画像（４´）を形成した。反射光（拡散光）下における、潜像部（１５´）と第１のカムフラージュ部（１６´）との色差 ΔＥは０．６５であった。
【０１６８】
第３の領域（１９´）においては、第３の網点部（１９ａ´）は、円形ドットであり、ブラックインク（東洋インキ製造株式会社製  ＬＩＯＪＥＴ  ＦＶ０３  ブラック）を用いて印刷した。第２のカムフラージュ部（１９ｂ´）は、プロセスインク（東洋インキ製造株式会社製  ＬＩＯＪＥＴ  ＦＶ０３  シアン、マゼンタ及びイエロー）を重ね合わせて黒色に印刷した。第３の網点部（１９ａ´）及び第２のカムフラージュ部（１９ｂ´）の面積比率を変化し、第二の潜像画像（１８´）を形成した。
【０１６９】
本実施例２の証明書（１´）における透過潜像領域（２´）の構成と、その透過潜像領域（２´）以外の領域の構成を模式的に示したのが図２５である。図２５（ａ）は、透過潜像領域（２´）以外の領域の構成を示しており、０．２ｍｍの厚さを有する無色（透明）のＰＥＴフィルムの基材（６´）上に白インクが印刷され、更にその上に、プロセスインクにより可視画像（３´）を形成するための網点が印刷されている。
【０１７０】
図２５（ｂ）は、透過潜像領域（２´）の構成を示しており、透明の基材（６´）の上に、第１の隠蔽領域（１０´）、第２ａの隠蔽部（１２´）及び第２ｂの隠蔽部（１７´）が白インクにより印刷され、第１の隠蔽領域（１０´）の上には、第１の領域（１３´）を印刷し、第２ａの隠蔽部（１２´）及び第２ｂの隠蔽部（１７´）の上には、第２の領域（１４´）を印刷し、第１の領域（１３´）内に第３の領域（１９´）を印刷した。
【０１７１】
このような層構成及び網点構成の位置関係としたことで、第２の領域（１４´）において、第２ｂの隠蔽部（１７´）を介して透過性の基材（６´）の透過光を受けた潜像部（１５´）と第１のカムフラージュ部（１６´）との色差 ΔＥが変化して潜像部（１５´）により形成された第一の潜像画像（４´）を視認することが可能となる。また、第２ｂの隠蔽部（１７´）以外の領域については、白インクにより基材（６´）の透過性を抑えているため、透過性のない状態で、白インクの上に印刷されているプロセスインクにより可視画像（３´）が形成されていることとなる。
【０１７２】
実施例２にて作製した証明書（１´）を、可視光源が定位置の可視光源下の反射光（拡散光）下において肉眼で観察したところ、可視画像（３´）の「複数の星」が視認され、第一の潜像画像（４´）及び第二の潜像画像（１８´）は視認することができなかった。次に、実施例２にて作製した証明書（１´）を透かして透過光下において肉眼で観察したところ、第一の潜像画像（４´）の「合格」の文字をフルカラー画像として視認することができた。このとき、可視画像（３´）及び第二の潜像画像（１８´）は視認することができなかった。
【０１７３】
さらに、実施例２にて作製した証明書（１´）を、赤外線表示装置（ワテック株式会社製、ＣＣＤカメラＷＡＴ−７０４Ｒに富士写真フィルム株式会社製、シャープカットフィルターＩＲ−８０を装着したもの）を介して観察したところ、可視画像（３´）及び第一の潜像画像（４´）は観察することができなかったが、第３の網点部（１９ａ´）で構成された第二の潜像画像（１８´）が暗く（黒っぽく）表示され、第二の潜像画像（１８´）の「スマイル」を明瞭に視認することができた。
【符号の説明】
【０１７４】
１            透過潜像画像を有する印刷媒体
２            透過潜像領域
３            可視画像
４            第一の潜像画像
５            光透過性材料
６            基材
７            隠蔽層
８            画像形成層
９            くり抜き部
１０          第１の隠蔽領域
１１          第２の隠蔽領域
１２          第２ａの隠蔽部
１３          第１の領域
１３ａ        第１の網点部
１４          第２の領域
１５          潜像部
１６          第１のカムフラージュ部
１７          第２ｂの隠蔽部
１８          第二の潜像画像
１９          第３の領域
１９ａ        第３の網点部
１９ｂ        第２のカムフラージュ部
２０          ベタ領域
【図１】
0005747349.tif 000002
【図２】
0005747349.tif 000003
【図３】
0005747349.tif 000004
【図４】
0005747349.tif 000005
【図５】
0005747349.tif 000006
【図６】
0005747349.tif 000007
【図７】
0005747349.tif 000008
【図８】
0005747349.tif 000009
【図９】
0005747349.tif 000010
【図１０】
0005747349.tif 000011
【図１１】
0005747349.tif 000012
【図１２】
0005747349.tif 000013
【図１３】
0005747349.tif 000014
【図１４】
0005747349.tif 000015
【図１５】
0005747349.tif 000016
【図１６】
0005747349.tif 000017
【図１７】
0005747349.tif 000018
【図１８】
0005747349.tif 000019
【図１９】
0005747349.tif 000020
【図２０】
0005747349.tif 000021
【図２１】
0005747349.tif 000022
【図２２】
0005747349.tif 000023
【図２３】
0005747349.tif 000024
【図２４】
0005747349.tif 000025
【図２５】
0005747349.tif 000026